【手続補正書】
【提出日】平成21年11月11日(2009.11.11)
【手続補正１】
【補正対象書類名】特許請求の範囲
【補正対象項目名】全文
【補正方法】変更
【補正の内容】
【特許請求の範囲】
【請求項１】
コンピュータに、
アクセス可能性グラフィックス・パイプ・アプリケーションによってユーザーのコンピュータ上に実装され、障害を持つ前記ユーザーを支援するように設計された前記コンピュータ上で複数のアクセス可能性クライアント・アプリケーションから呼び出されるように動作可能なグラフィックス・パイプを提供するステップであって、前記グラフィックス・パイプが、前記複数のアクセス可能性クライアント・アプリケーションに関連するコンテンツを検索するために前記ユーザーの前記コンピュータ上のセントラル・ロケーションを提供するように動作可能であるステップと、
前記ユーザーの前記コンピュータ上で動作する第１アクセス可能性クライアント・アプリケーションから要求を受信して、前記グラフィックス・パイプにアクセスするステップと、
前記第１アクセス可能性クライアント・アプリケーションと前記グラフィックス・パイプとの間の第１接続を前記ユーザーの前記コンピュータ上で確立して、前記第１アクセス可能性クライアント・アプリケーションが該第１アクセス可能性クライアント・アプリケーションに関連するコンテンツを聴取することができるようにするステップと、
前記グラフィックス・パイプから前記接続を介して前記第１アクセス可能性クライアント・アプリケーションに、該第１アクセス可能性クライアント・アプリケーションに関連するコンテンツを提供するステップと、
前記第１アクセス可能性クライアント・アプリケーションを有する前記ユーザーの前記コンピュータの表示装置に、前記第１アクセス可能性クライアント・アプリケーションに関連するコンテンツを描画するステップと、
を実行させるためのコンピュータ実行可能命令を有するコンピュータ可読媒体。
【請求項２】
要求を第２アクセス可能性クライアント・アプリケーションから受信して、前記第１アクセス可能性クライアント・アプリケーションと同じ期間の少なくとも一部分の期間に前記グラフィックス・パイプにアクセスするステップと、
前記第２アクセス可能性クライアント・アプリケーションと前記グラフィックス・パイプとの間の第２接続を確立するステップと、
前記第２接続を介して前記グラフィックス・パイプから前記第２アクセス可能性クライアント・アプリケーションに、該第２アクセス可能性クライアント・アプリケーションに関連したコンテンツを提供するステップと、
を更に含む、請求項１に記載のコンピュータ可読媒体。
【請求項３】
前記グラフィックス・パイプは、前記第１アクセス可能性クライアント・アプリケーションとの前記第１接続が確立された後に、前記ユーザーの前記コンピュータ上で動作する１つ又は複数の他のアクセス可能性クライアント・アプリケーションと通信して、動作中のそれぞれの他のアクセス可能性クライアント・アプリケーションに再描画するように指示する、請求項１に記載のコンピュータ可読媒体。
【請求項４】
前記グラフィックス・パイプは、ユーザー・モードで呼び出されるように動作可能である、請求項１に記載のコンピュータ可読媒体。
【請求項５】
前記グラフィックス・パイプは、非同期で呼び出されるように動作可能である、請求項１に記載のコンピュータ可読媒体。
【請求項６】
前記第１アクセス可能性クライアント・アプリケーションは、画面読み取り装置とブレール式点字表示装置と拡大器とのうちの少なくとも１つとして動作可能である、請求項１に記載のコンピュータ可読媒体。
【請求項７】
コンテンツを提供する前記ステップは、支援技術が特定の時点に前記グラフィックス・パイプに接続されるかどうかを示すクライアント状態フラグを提供するステップを更に含む、請求項１に記載のコンピュータ可読媒体。
【請求項８】
コンテンツを提供する前記ステップは、ビットマップ・フォーマットでオフスクリーン・コンテンツを提供するステップを更に含む、請求項１に記載のコンピュータ可読媒体。
【請求項９】
コンピュータに、
障害を持つユーザーを支援するように設計され且つ前記ユーザーのコンピュータ上で動作するアクセス可能性クライアント・アプリケーションから前記ユーザーの前記コンピュータ上にアクセス可能性グラフィックス・パイプ・アプリケーションによって実装されるグラフィックス・パイプへの接続を前記ユーザーの前記コンピュータ上で開くステップであって、前記グラフィックス・パイプが、複数のアクセス可能性クライアント・アプリケーションに関連するコンテンツを前記ユーザーの前記コンピュータ上で検索するために前記ユーザーの前記コンピュータ上でセントラル・ロケーションとなるステップと、
前記アクセス可能性クライアント・アプリケーションから、前記グラフィックス・パイプによって提供される１組のコンテンツ内で、前記アクセス可能性クライアント・アプリケーションに関連するコンテンツを聴取するステップと、
前記アクセス可能性クライアント・アプリケーションに関連するコンテンツの少なくとも一部分上で１組の画面取り込みを行うステップと、
前記画面取り込みのうちの少なくとも一部を別の面に描画するステップと、
前記アクセス可能性クライアント・アプリケーションと前記グラフィックス・パイプとの間の接続を閉じるステップと、
を実行させるためのコンピュータ実行可能命令を有するコンピュータ可読媒体。
【請求項１０】
前記画面取り込みは視覚支援のための別の面に描画される、請求項９に記載のコンピュータ可読媒体。
【請求項１１】
前記画面取り込みはファイルに書き込まれる、請求項９に記載のコンピュータ可読媒体。
【請求項１２】
前記画面取り込みは、練習ビデオでの使用のためにファイルに書き込まれる、請求項１１に記載のコンピュータ可読媒体。
【請求項１３】
アクセス可能性グラフィックス・パイプを用いるための方法であって、
ユーザーのコンピュータ上でアクセス可能性グラフィックス・パイプ・アプリケーションによって実装されるグラフィックス・パイプと前記ユーザーの前記コンピュータ上で動作するアクセス可能性クライアント・アプリケーションとの間の接続を、ユーザー・モードにおいて前記ユーザーの前記コンピュータ上で開くステップであって、前記グラフィックス・パイプが、複数のアクセス可能性クライアント・アプリケーションに関連するコンテンツを前記ユーザーの前記コンピュータ上で検索するために前記ユーザーの前記コンピュータ上でセントラル・ロケーションとなるステップと、
前記アクセス可能性クライアント・アプリケーションから、前記アクセス可能性クライアント・アプリケーションに関連する情報に関して前記グラフィックス・パイプを聴取するステップと、
前記アクセス可能性クライアント・アプリケーションから、該アクセス可能性クライアント・アプリケーションに関連する情報の少なくとも一部でオフスクリーン・モデルを構築するステップと、
を含む方法。
【請求項１４】
前記オフスクリーン・モデルは、話された音声を出力するために使用される、請求項１３に記載の方法。
【請求項１５】
前記オフスクリーン・モデルは、触覚フィードバックを出力するために使用される、請求項１３に記載の方法。
【請求項１６】
前記アクセス可能性クライアント・アプリケーションは画面読み取り装置である、請求項１３に記載の方法。
【請求項１７】
前記アクセス可能性クライアント・アプリケーションはブレール式点字提供器である、請求項１３に記載の方法。
【請求項１８】
前記アクセス可能性クライアント・アプリケーションは拡大器である、請求項１３に記載の方法。
【請求項１９】
コンピュータに請求項１３に記載のステップを実行させるためのコンピュータ実行可能命令を有するコンピュータ可読媒体。